(57)【特許請求の範囲】
【請求項１】
電力系統内に配置された少なくとも１つの機器の状態の変化を示す情報を含む機器状態変化情報が入力される少なくとも１つの入力基板と、この入力基板に入力された前記機器状態変化情報に基づいて演算を行うメイン基板と、を有する電力系統遠方監視制御装置において、
前記入力基板は、
前記機器状態変化情報が入力される入力状態確認部と、
一定の時間間隔で時間をカウントする機能と、この機能により得られたカウント値を格納する機能を備えたカウンタ部と、
前記入力状態確認部に入力された前記機器状態変化情報と、前記カウンタ部に格納された前記カウント値と、をそれぞれ受信して、前記カウント値を前記機器状態変化情報に付してカウント値付機器状態変化情報を作成する機能を備えた入力基板用情報検定処理部と、
前記カウント値付機器状態変化情報を、前記入力基板用情報検定処理部から受信して格納可能な入力基板用情報格納部と、
前記カウント値付機器状態変化情報を含む情報を、前記メイン基板との間で互いに送受信可能に構成された入力基板用送受信部と、
前記入力基板用情報検定処理部が前記カウント値を前記機器状態変化情報に付して作成した前記カウント値付機器状態変化情報を前記入力基板用送受信部から前記メイン基板に送信した旨の通知を前記入力基板用送受信部から受けた後に前記カウンタ部によるカウントをリセットして再開させるカウンタリセット部と、
を有し、
前記メイン基板は、
前記カウント値付機器状態変化情報を含む情報を、前記入力基板用送受信部との間で互いに送受信可能に構成されたメイン基板用送受信部と、
前記メイン基板用送受信部を介して前記入力基板に対して所定の情報について情報送信要求を行う機能を備えたポーリング部と、
前記メイン基板用送受信部に入力された前記カウント値付機器状態変化情報を格納可能な受信情報格納部と、
前記受信情報格納部に格納された前記カウント値付機器状態変化情報を検出し、前記機器の状態が変化していると判定されたときに、前記カウント値付機器状態変化情報に付された前記カウント値を送信可能に構成されたメイン基板用情報検定処理部と、
前記メイン基板の基準時刻を送信可能な時計部と、
前記ポーリング部が前記情報送信要求を行う毎に前記時計部から受信した時刻に基づいて定める情報送信要求時刻を保存可能で、前記メイン基板用情報検定処理部が送信する前記カウント値を受信可能で、前記カウントおよび保存された前記情報送信要求時刻に基づいて、前記機器の状態が変化した時刻を導出するように構成された時刻補正処理部と、
前記時刻補正処理部で導出された時刻が付された前記機器状態変化情報を格納するように構成されたメイン基板用情報格納部と、
を有することを特徴とする電力系統遠方監視制御装置。
【請求項２】
前記入力基板は、前記入力基板用送受信部、カウンタ部、および入力基板用情報格納部それぞれと互いに通信可能なカウント値減算処理部を有し、
前記カウント値は、前記カウント値付機器状態変化情報に付された第１カウント値と、この第１カウント値と異なる時期に前記カウント部から取得される前記第２カウント値を含み、
前記カウント値減算処理部は、前記入力基板用送受信部が前記情報送信要求を受信したときに、
前記入力基板用情報格納部から第１カウント値が付された前記カウント値付機器状態変化情報を受信して且つ前記カウンタ部から第２カウント値を取得して、
前記第１カウント値から第２カウント値を減算して得られた減算カウント値を、前記カウント値付機器状態変化情報に付しなおして、減算カウント値付機器状態変化情報を作成し、
前記減算カウント値付機器状態変化情報を、前記入力基板用送受信部を介して前記メイン基板に送信するように構成されて、
前記メイン基板は、
前記メイン基板が有する時計部から取得した現在時刻と、前記減算カウント値と、に基づいて、前記機器の状態が変化した時刻を導出するように構成されていること、
を特徴とする請求項１に記載の電力系統遠方監視制御装置。
【請求項３】
前記機器状態変化情報のビット数と、前記メイン基板および入力基板の間の送受信時の情報伝送速度と、に基づいて、伝送遅延時間を算出し、この算出された前記伝達遅延時間に基づいて、前記機器状態変化情報における前記機器の状態が変化した時刻を補正する手段を有することを特徴とする請求項１に記載の電力系統遠方監視制御装置。
【請求項４】
前記入力基板を複数備え、
前記メイン基板は、前記時計部と時刻情報を送受信可能な時刻通知処理部を有し、
前記ポーリング部は、前記時刻通知情報と送受信可能に構成されて、前記時刻通知処理部から受信した前記時刻情報を前記各入力基板それぞれに同時に送信する機能を備えた同報通知送信部を含み、
前記時刻通知処理部は、前記時計部から受信する時刻に基づいて所定の時期に前記同報通知送信部に前記時刻情報を通知するように構成されて、
前記同報通知送信部は、前記メイン基板用送受信部を介して所定の時期に前記各入力基板それぞれに前記時刻情報を送信するように構成されて、
前記各入力基板それぞれは、前記入力基板用送受信部と互いに通信可能で、少なくとも前記情報送信要求および時刻情報を受信可能に構成された情報種別判定処理部を有し、
前記情報種別判定処理部は、受信した情報が前記時刻情報であるか否かを判定して、前記時刻情報を受信したと判定したときに、前記時刻情報を受信した旨を前記カウンタリセット処理部に通知するように構成されて、
前記カウンタリセット処理部は、前記時刻情報を受信した旨の通知を受けたときに前記カウンタをリセットするように構成されていること、
を特徴とする請求項１に記載の電力系統遠方監視制御装置。
【発明の詳細な説明】
【技術分野】
【０００１】
本発明は、電力系統内に配置された機器を遠方から制御する電力系統遠方監視制御装置に関する。
【背景技術】
【０００２】
電力系統の設備機器を遠隔的に監視及び制御する遠方監視制御装置は、機器状態を入力し機器状態の変化が発生したときの発生時刻を付加して制御所へ通知する機能を有している。
【０００３】
遠方監視制御装置は、例えば特許文献１に開示されているように、変電機器本体から抽出した交流電気量を入力し、ディジタルデータに変換し、時刻付けされたディジタルデータを出力するセンサーユニット等を設けた例などが知られている。
【０００４】
遠方監視制御装置は、中央演算用のメイン基板と複数の入力基板を有し、それぞれ分担して制御処理を行うものがある。
【０００５】
電力系統内に配置された機器の状態の変化が発生したときに、この状態変化を知らせる情報に時刻を付加して制御所へ伝送する。このとき、入力端末に近い場所で時刻を付加することにより、時刻精度を高めている。
【先行技術文献】
【特許文献】
【０００６】
【特許文献１】特開２００２−３１５２３３号公報
【発明の概要】
【発明が解決しようとする課題】
【０００７】
ところが、中央演算用のメイン基板と、複数の入力基板とで制御処理を分担する構成の場合には、メイン基板から入力基板に時刻同期するシステムが必要となる。この場合、複数の入力基板に対して、メイン基板から各入力基板へ高精度に時刻同期を行うことや、基板間の時間誤差を小さくする必要がある。また、このようなシステムを構築するために、各入力基板には時計ＩＣやマイコン等が必要であった。
【０００８】
通常、遠方監視制御装置は、多くの入力基板が必要で、それぞれの入力基板に対して、マイコン周辺回路等が設けられるため、部品点数が多く、故障率の上昇を招く要因となった。また、コスト増大の要因ともなっていた。
【０００９】
本発明は上述の課題を解決するためになされたものであり、その目的は、電力系統遠方制御装置におけるメイン基板および入力基板の間で、通信情報に付加される時刻情報の精度を向上させることである。
【課題を解決するための手段】
【００１０】
上記目的を達成するための本発明に係る電力系統遠方監視制御装置は、電力系統内に配置された少なくとも１つの機器の状態の変化を示す情報を含む機器状態変化情報が入力される少なくとも１つの入力基板と、この入力基板に入力された前記機器状態変化情報に基づいて演算を行うメイン基板と、を有する電力系統遠方監視制御装置において、前記入力基板は、前記機器状態変化情報が入力される入力状態確認部と、一定の時間間隔で時間をカウントする機能と、この機能により得られたカウント値を格納する機能を備えたカウンタ部と、前記入力状態確認部に入力された前記機器状態変化情報と、前記カウンタ部に格納された前記カウント値と、をそれぞれ受信して、前記カウント値を前記機器状態変化情報に付してカウント値付機器状態変化情報を作成する機能を備えた入力基板用情報検定処理部と、前記カウント値付機器状態変化情報を、前記入力基板用情報検定処理部から受信して格納可能な入力基板用情報格納部と、前記カウント値付機器状態変化情報を含む情報を、前記メイン基板との間で互いに送受信可能に構成された入力基板用送受信部と、前記入力基板用情報検定処理部が前記カウント値を前記機器状態変化情報に付して作成した前記カウント値付機器状態変化情報を前記入力基板用送受信部から前記メイン基板に送信した旨の通知を前記入力基板用送受信部から受けた後に前記カウンタ部によるカウントをリセットして再開させるカウンタリセット部と、を有し、前記メイン基板は、前記カウント値付機器状態変化情報を含む情報を、前記入力基板用送受信部との間で互いに送受信可能に構成されたメイン基板用送受信部と、前記メイン基板用送受信部を介して前記入力基板に対して所定の情報について情報送信要求を行う機能を備えたポーリング部と、前記メイン基板用送受信部に入力された前記カウント値付機器状態変化情報を格納可能な受信情報格納部と、前記受信情報格納部に格納された前記カウント値付機器状態変化情報を検出し、前記機器の状態が変化していると判定されたときに、前記カウント値付機器状態変化情報に付された前記カウント値を送信可能に構成されたメイン基板用情報検定処理部と、前記メイン基板の基準時刻を送信可能な時計部と、前記ポーリング部が前記情報送信要求を行う毎に前記時計部から受信した時刻に基づいて定める情報送信要求時刻を保存可能で、前記メイン基板用情報検定処理部が送信する前記カウント値を受信可能で、前記カウントおよび保存された前記情報送信要求時刻に基づいて、前記機器の状態が変化した時刻を導出するように構成された時刻補正処理部と、前記時刻補正処理部で導出された時刻が付された前記機器状態変化情報を格納するように構成されたメイン基板用情報格納部と、を有することを特徴とする。
【発明の効果】
【００１１】
本発明によれば、電力系統遠方監視制御装置におけるメイン基板および入力基板の間で、通信情報に付加される時刻情報の精度を向上させることが可能になる。
【図面の簡単な説明】
【００１２】
【図１】本発明に係る第１の実施形態の電力系統遠方監視制御装置の構成を示すブロック図である。
【図２】図１のメイン基板および入力基板の構成を示すブロック図である。
【図３】本発明に係る第２の実施形態の電力系統遠方監視制御装置におけるメイン基板および入力基板の構成を示すブロック図である。
【図４】本発明に係る第３の実施形態の電力系統遠方監視制御装置を用いて機器の状態変化発生時刻を算出する工程を示すフロー図である。
【図５】本発明に係る第４の実施形態の電力系統遠方監視制御装置におけるメイン基板および入力基板の構成を示すブロック図である。
【発明を実施するための形態】
【００１３】
以下、本発明に係る電力系統遠方監視制御装置の実施形態について、図面を参照して説明する。
【００１４】
［第１の実施形態］
本発明に係る第１の実施形態について、図１および図２を用いて説明する。図１は、本実施形態の電力系統遠方監視制御装置の構成を示すブロック図である。図２は、図１のメイン基板２０および入力基板１０の構成を示すブロック図である。
【００１５】
先ず、本実施形態の電力系統遠方監視制御装置の構成について説明する。
【００１６】
電力系統遠方監視制御装置は、電力系統内に配置された複数の機器５０それぞれの状態等を制御する装置である。当該装置は、各機器５０それぞれと互いに通信可能な複数の入力基板１０と、それぞれの入力基板１０と互いに通信可能なメイン基板２０とを有する。
【００１７】
各入力基板１０およびメイン基板２０は、機器５０の状態の変化を示す機器状態変化情報（以後、状変情報と称す。）を互いに通信可能である。
【００１８】
ここで、入力基板１０およびメイン基板２０の構成について、図２を用いて説明する。
【００１９】
各入力基板１０それぞれは、入力状態確認部１１、カウンタ部１５、入力基板用情報検定処理部１２、カウンタリセット部１６、入力基板用情報格納部１３、および入力基板用送受信部１４を有する。
【００２０】
入力状態確認部１１は、電力系統内に配置された機器５０の状態の変化を示す状変情報が入力される。
【００２１】
カウンタ部１５は、時間をカウントする機能を有する。例えば、一定の時間間隔でカウントアップまたはカウントダウンする。さらに、このカウンタ部１５は、カウントされて得られたカウント値を格納する。また、後述するカウンタリセット部１６からリセットする旨の通知を受けて、カウントを再開できるように構成されている。
【００２２】
入力基板用情報検定処理部１２は、入力状態確認部１１に入力された状変情報と、カウンタ部１５に格納されたカウント値と、をそれぞれ受信可能に構成されている。入力基板用情報検定処理部１２は、受信したカウント値を、受信した状変情報に付加して、カウント値付状変情報を作成する。
【００２３】
カウンタリセット部１６は、カウント値を付加した後に、カウンタ部１５にカウント動作をリセットする旨の通知を行う機能を有している。入力基板用情報格納部１３は、カウント値付状変情報を、入力基板用情報検定処理部１２から受信して格納するように構成されている。
【００２４】
入力基板用送受信部１４は、カウント値付状変情報等を含む情報を、後述するメイン基板用送受信部２１との間で互いに送受信可能に構成されている。
【００２５】
一方、メイン基板２０は、メイン基板用送受信部２１、ポーリング部２５、受信情報格納部２２、メイン基板用情報検定処理部２３、時刻補正処理部２８、時計部２７、およびメイン基板用情報格納部２４を有している。ここで、時計部２７は、メイン基板２０の基準時刻を管理する機能を有している。
【００２６】
メイン基板用送受信部２１は、カウント値付状変情報等を含む情報を、入力基板用送受信部１４との間で互いに送受信可能である。ポーリング部２５は、メイン基板用送受信部２１を介して入力基板１０に対して所定の情報について情報送信要求を行う機能を備えている。
【００２７】
受信情報格納部２２は、メイン基板用送受信部２１に入力されたカウント値付状変情報を格納できるように構成されている。ここで格納とは、一時的に保存することも含んでいる。
【００２８】
メイン基板用情報検定処理部２３は、受信情報格納部２２に格納されたカウント値付状変情報を検出して、機器５０の状態が変化しているか否かを判定する機能を備えている。ここで、状態が変化していると判定されたときには、カウント値付状変情報に付加されたカウント値を、時刻補正処理部２８に送信するように構成されている。
【００２９】
時刻補正処理部２８は、ポーリング部２５が入力基板１０に対して情報送信要求を行う毎に情報送信要求時刻を保存可能で、且つメイン基板用情報検定処理部２３が送信するカウント値を受信可能に構成されている。また、時刻補正処理部２８は、受信したカウント値および情報送信要求時刻それぞれに基づいて、機器５０の状態が変化した時刻を導出する機能を備えている。
【００３０】
メイン基板用情報格納部２４は、時刻補正処理部２８で導出された時刻が付された状変情報を格納する。
【００３１】
続いて、この電力系統遠方監視制御装置の作用について説明する。
【００３２】
先ず、入力基板１０側で、入力状態確認部１１に、状変情報を含む信号情報が入力される。入力された信号情報は、入力基板用情報検定処理部１２に送られて、ここで電力系統内の機器５０の状態が変化したか否かを判定する。状変情報から機器５０の状態変化を判定した入力基板用情報検定処理部１２は、カウンタ部１５から状変情報を検出した時のカウント値を受信する。このとき、入力基板用情報検定処理部１２は、受信したカウント値を状変情報に付加してカウント値付状変情報を作成し、このカウント値付状変情報を入力基板用情報格納部１３に送信する。入力基板用情報格納部１３は、カウント値付状変情報を一時保存する。
【００３３】
メイン基板２０側では、ポーリング部２５が、メイン基板用送受信部２１を介して入力基板１０に対して情報送信要求を行う。これと同時にポーリング部２５は、時刻補正処理部２８へ情報送信要求を行った旨の通知を行う。
【００３４】
入力基板１０側では、入力基板用送受信部１４が情報送信要求を受信する。このとき、入力基板用送受信部１４は、入力基板用情報格納部１３に格納されたカウント値付状変情報を受信して、メイン基板用送受信部２１へ送信する。また、同時に入力基板用送受信部１４は、カウンタリセット部１６にカウント値付状変情報を送信した旨の通知を行う。
【００３５】
この通知を受けたカウンタリセット部１６は、当該通知内容をカウンタ部１５へ通知する。このとき、カウンタ部１５はカウント値をリセットして再びカウントを開始する。
【００３６】
一方、メイン基板２０側では、メイン基板用送受信部２１でカウント値付状変情報が入力される。カウント値付状変情報が入力されたメイン基板用送受信部２１は、当該情報を受信情報格納部２２へ送信する。受信情報格納部２２は、受信したカウント値付状変情報を格納する。
【００３７】
次に、メイン基板用情報検定処理部２３は、このカウント値付状変情報に基づいて機器５０の状態が変化したか否かを判定する。ここで、機器５０の状態が変化したと判定したときには、カウント値付状変情報に付加されたカウント値を時刻補正処理部２８に送信する。
【００３８】
時刻補正処理部２８は、ポーリング部２５が入力基板１０に情報送信要求を行うと同時に情報送信要求を行った旨の通知を、ポーリング部２５から受信する。この都度、すなわち、ポーリング部２５が情報送信要求を行った旨の通知を受信する毎に、時刻補正処理部２８は、時計部２７で管理している時刻を登録しておく。
【００３９】
ここで、時刻補正処理部２８は、ポーリング部２５から通知を受けた直前の登録時刻（通知時刻）と、メイン基板用情報検定処理部２３から受信したカウント値と、に基づいて演算を行い、機器５０の状態が変化した時刻を導出する。
【００４０】
この後に、メイン基板用情報検定処理部２３は、状態が変化した時刻が付加された状変情報を、メイン基板用情報格納部２４に送信する。メイン基板用情報格納部２４は、受信した当該状変情報を格納する。
【００４１】
以上の説明からわかるように、本実施形態によれば、入力基板１０にカウンタ部１５を設けて、状変情報にカウント値を付加することで、高精度な時刻管理が可能となる。よって、電力系統遠方制御装置にかかるメイン基板２０および各入力基板１０の間で送受信される情報に付加される時刻情報の精度を向上させることが可能になる。
【００４２】
［第２の実施形態］
本発明に係る電力系統遠方監視制御装置の第２の実施形態について、図３を用いて説明する。図３は、本実施形態の電力系統遠方監視制御装置におけるメイン基板２０および入力基板１０の構成を示すブロック図である。なお、本実施形態は、第１の実施形態の変形例であって、第１の実施形態と同一部分または類似部分には、同一符号を付して、重複説明を省略する。
【００４３】
本実施形態の入力基板１０は、入力基板用送受信部１４、カウンタ部１５、および入力基板用情報格納部１３それぞれと互いに通信可能なカウント値減算処理部１７を有している。
【００４４】
また、本実施形態のカウント値は、カウント値付状変情報に付加された第１カウント値と、この第１カウント値と異なるタイミングにカウンタ部１５から取得される第２カウント値が含まれる。
【００４５】
カウント値減算処理部１７は、入力基板用送受信部１４がポーリング部２５から送信された情報送信要求を受信したときに、当該情報を受信した旨の通知を受ける。このとき、カウント値減算処理部１７は、入力基板用情報格納部１３から第１カウント値が既に付されているカウント値付状変情報を受信する。これと同時に、カウント値減算処理部１７は、第１カウント値がリセットされた後にカウントを再開しているカウンタ部１５から、第２カウント値を取得する。
【００４６】
この後に、カウント値減算処理部１７は、第１カウント値から第２カウント値を減算して、減算カウント値を作成し、当該減算カウント値をカウント値付状変情報に付加しなおして、減算カウント値付状変情報を作成する。
【００４７】
この後に、減算カウント値付状変情報を、入力基板用送受信部１４を介してメイン基板２０に送信する。
【００４８】
メイン基板２０側では、第１の実施形態と同様に、メイン基板用情報検定処理部２３が、減算カウント値付状変情報を受信する。この後に、時刻補正処理部２８は、時計部２７から取得した現在時刻と、減算カウント値と、に基づいて、機器５０の状態が変化した時刻を導出する。
【００４９】
第１の実施形態では、メイン基板２０で入力基板１０毎にポーリング部２５から情報送信要求時刻を記憶して補正を行う必要があった。
【００５０】
これに対して、本実施形態では、入力基板１０側で、機器５０の状態変化を検出したときおよび情報送信要求を受信したとき、それぞれで第１および第２カウンタ値それぞれを取得し演算することができる。これにより、メイン基板２０では、現在時刻と、入力基板１０側で演算された減算カウント値との演算だけで機器５０の状態変化の発生時刻を導出できる。
【００５１】
メイン基板２０は、通常、各入力基板１０に比べて演算量が多い。本実施形態によれば、メイン基板２０の演算がより簡素になるため、信頼性の高い時刻管理が可能になる。
【００５２】
［第３の実施形態］
本発明に係る電力系統遠方監視制御装置の第３の実施形態について、図４を用いて説明する。図４は、本実施形態の電力系統遠方監視制御装置を用いて機器５０の状態変化発生時刻を算出する工程を示すフロー図である。電力系統遠方監視制御装置は、図２と同様の構成である。なお、本実施形態は、第１の実施形態の変形例であって、第１の実施形態と同一部分または類似部分には、同一符号を付して、重複説明を省略する。
【００５３】
本実施形態の電力系統遠方監視制御装置は、状変情報のビット数または情報送信要求のビット数と、メイン基板２０および入力基板１０の間の送受信時の情報伝送速度と、に基づいて、伝送遅延時間を算出し、この算出された伝送遅延時間に基づいて、状変情報における機器５０の状態が変化した時刻を補正する手段を有している。
【００５４】
先ず、状変情報のデータ量等を示す状変情報ビット数を取得して（ステップＳ４０１）、メイン基板２０および入力基板１０の間の情報の伝送速度を取得する（ステップＳ４０２）。ここで、状変情報ビット数を伝送速度で除算して、補正値を算出する（ステップＳ４０３）。この補正値は、伝送遅延時間である。
【００５５】
次に、補正前の機器状態変化発生時刻を取得して（ステップＳ４０４）、補正前の機器状態変化発生時刻から上記の補正値を減算する（ステップＳ４０５）。この減算値が、補正後の機器状態変化発生時刻となる（ステップＳ４０６）。
【００５６】
これにより、本実施形態によれば、第１の実施形態に比べて、入力基板１０およびメイン基板２０の間の伝達遅延時間の影響を補正するため、より高精度に時刻を管理することが可能になる。
【００５７】
また、情報送信要求を送信する時刻を基準にして、状態変化発生時刻を算出することもできる。この場合、情報送信要求のビット数を取得する（ステップＳ４１１）。上記と同様に、伝送速度を取得する（ステップＳ４０２）。ここで、情報送信要求ビット数を伝送速度で除算して伝送遅延時間である補正値を算出する（ステップＳ４０３）。
【００５８】
この後に、取得した補正前の状変発生時刻から情報送信要求の送信時刻を減算して、さらに補正値を加算して（ステップＳ４０５）、補正後の状変発生時刻を求める（ステップＳ４０６）ことも可能である。
【００５９】
［第４の実施形態］
本発明に係る電力系統遠方監視制御装置の第４の実施形態について、図５を用いて説明する。図５は、本実施形態の電力系統遠方監視制御装置におけるメイン基板２０および入力基板１０の構成を示すブロック図である。なお、本実施形態は、第１の実施形態の変形例であって、第１の実施形態と同一部分または類似部分には、同一符号を付して、重複説明を省略する。
【００６０】
メイン基板２０は、時計部２７と互いに通信可能で、当該統計部の時刻情報を送受信可能な時刻通知処理部２９を有している。第１の実施形態で説明したポーリング部２５（図２）は、時刻通知情報と送受信可能に構成されて時刻通知処理部２９から受信した時刻情報を各入力基板１０それぞれに同時に送信する機能を備えた同報通知送信部２５ａを含んでいる。
【００６１】
時刻通知処理部２９は、時計部２７から受信する時刻に基づいて、所定のタイミングで同報通知送信部２５ａに時刻情報を通知するように構成されている。同報通知送信部２５ａは、メイン基板用送受信部２１を介して所定のタイミングに各入力基板１０全てに時刻情報を送信する機能を備えている。
【００６２】
一方、各入力基板１０それぞれは、情報種別判定処理部１８を有している。この情報種別判定処理部１８は、入力基板用送受信部１４と互いに通信可能で、少なくとも情報送信要求および時刻情報を含む情報を受信可能に構成されている。また、情報種別判定処理部１８は、受信した情報が時刻情報であるか否かを判定する機能を備え、時刻情報を受信したと判定したときには、時刻情報を受信した旨をカウンタリセット部１６に通知するように構成されている。
【００６３】
カウンタリセット部１６は、時刻情報を受信した旨の通知を受けたときにカウンタ部１５をリセットさせる機能を備えている。
【００６４】
ここで、本実施形態の作用について説明する。
【００６５】
先ず、メイン基板２０の時刻通知処理は時計部２７から受信する時刻情報に基づいて、定期的に同報通知送信部２５ａへ時刻情報等を通知する。時刻情報が通知された同報通知送信部２５ａは、メイン基板用送受信部２１を介して、定期的にブロードキャスト通信などを用いて、各入力基板１０へ時刻情報を同報伝送する。
【００６６】
各入力基板１０それぞれは、各入力基板用送受信部１４を介して各入力基板用情報検定処理部１２で、時刻情報を受信したか否かを判定する。
【００６７】
このとき、時刻情報であると判定された場合には、カウンタリセット部１６に、その旨を通知する。カウンタリセット部１６は、カウンタ部１５をリセットさせる。
【００６８】
これ以降のカウンタ部１５の動作は、第１の実施形態と同様である。
【００６９】
以上の説明からわかるように本実施形態によれば、全ての入力基板１０に対して、各入力基板１０のカウンタ部１５のカウント動作を、同時に再スタートさせることができるため、第１の実施形態に比べて、各入力基板１０同士のカウント値の差分を小さくすることができる。
【００７０】
［その他の実施形態］
上記実施形態の説明は、本発明を説明するための例示であって、特許請求の範囲に記載の発明を限定するものではない。また、本発明の各部構成は上記実施形態に限らず、特許請求の範囲に記載の技術的範囲内で種々の変形が可能である。
【００７１】
上記の第１〜第４の実施形態それぞれの特徴を組み合わせることも可能である。
【符号の説明】
【００７２】
１０…入力基板、１１…入力状態確認部、１２…入力基板用情報検定処理部、１３…入力基板用情報格納部、１４…入力基板用送受信部、１５…カウンタ部、１６…カウンタリセット部、１７…カウント値減算処理部、１８…情報種別判定処理部、２０…メイン基板、２１…メイン基板用送受信部、２２…受信情報格納部、２３…メイン基板用情報検定処理部、２４…メイン基板用情報格納部、２５…ポーリング部、２５ａ…同報通知送信部、２７…時計部、２８…時刻補正処理部、２９…時刻通知処理部、５０…機器
【図１】
0005433326.tif 000002
【図２】
0005433326.tif 000003
【図３】
0005433326.tif 000004
【図４】
0005433326.tif 000005
【図５】
0005433326.tif 000006